(57)【要約】【課題】音響システムの構成の自由度を高めることを可能にする。【解決手段】１台のリモコン２に対してスピーカ装置３が複数台設置される。リモコン２はステレオ信号を音声信号として送信する。各スピーカ装置３は、リモコン２から送信されたステレオ信号を受信する。各スピーカ装置３に設けられたスライドスイッチを操作することによって、各スピーカ装置３は、ステレオ音声（右チャネル音声および左チャネル音声）を出力するパターンと、右チャネル音声のみ出力するパターンと、左チャネル音声のみ出力するパターンとを切換える。スピーカ装置の設置台数、各スピーカ装置の再生モードは、ユーザが任意に設定可能である。さらにスピーカ装置の配置も特に限定されない。したがってユーザが要求する環境、音量、音質等に応じて、音響システムを自由に構築できる。【選択図】図７
2011176581.tif 000002
【特許請求の範囲】
【請求項１】
第１および第２のスピーカと、
音声信号を受ける入力部と、
前記音声信号を再生する場合の再生モードを、切換パターンに従って切換える切換部と、
前記第１および第２のスピーカと前記入力部と前記切換部とを収納する筐体とを備え、
前記切換パターンは、
前記音声信号が第１のチャネル信号と第２のチャネル信号とを含む場合に、前記第１のスピーカが前記第１のチャネル信号を再生し、かつ前記第２のスピーカが前記第２のチャネル信号を再生するパターンと、
前記第１および第２のスピーカがともに前記第１のチャネル信号を再生するパターンと、
前記第１および第２のスピーカがともに前記第２のチャネル信号を再生するパターンとを含む、スピーカ装置。
【請求項２】
前記スピーカ装置は、
前記筐体に収納され、かつ前記音声信号を増幅するアンプをさらに備える、請求項１に記載のスピーカ装置。
【請求項３】
前記入力部は、無線によって送信された前記音声信号を受信するように構成される、請求項２に記載のスピーカ装置。
【請求項４】
前記入力部は、前記スピーカ装置に対する送信元として前記スピーカ装置が予め認証した送信装置から送られた前記音声信号を受け付ける、請求項１から３のいずれか１項に記載のスピーカ装置。
【請求項５】
前記入力部は、音声信号を伝送するケーブルに接続するための入力端子を有する、請求項１から４のいずれか１項に記載のスピーカ装置。
【請求項６】
前記切換部は、リモートコントローラから送信された制御信号によって、前記切換パターンを変更する、請求項１から５のいずれか１項に記載のスピーカ装置。
【請求項７】
前記スピーカ装置は、手動操作によって前記切換パターンを設定するための操作部をさらに備える、請求項１から６のいずれか１項に記載のスピーカ装置。
【請求項８】
請求項１から７のいずれか１項に記載の、少なくとも１つのスピーカ装置と、
音声出力機器が出力した前記音声信号を無線で前記スピーカ装置に送信するための送信装置とを備える、スピーカシステム。
【請求項９】
請求項１から７のいずれか１項に記載の、少なくとも１つのスピーカ装置と、
前記少なくとも１つのスピーカ装置に音声信号を出力するための音声出力機器とを備える、音響システム。
【請求項１０】
音声出力機器が出力した前記音声信号を無線で前記スピーカ装置に送信するための送信装置をさらに備える、請求項９に記載の音響システム。
【発明の詳細な説明】
【技術分野】
【０００１】
本発明はスピーカ装置、スピーカシステム、および音響システムに関する。
【背景技術】
【０００２】
映像音響システムにおいて機器間で信号を伝送するための方法として、一般的には、機器間を接続するケーブルによる伝送あるいは無線による伝送が用いられる。
【０００３】
たとえば特開平５−１９１３４８号公報（特許文献１）は、ＶＴＲ（Video Tape Recorder）一体型カメラに、ケーブルによって接続されたリモートコントローラを開示する。このリモートコントローラは、上記カメラからの映像信号および音声信号を光信号に変換して、その光信号を出力する。光受信ユニットは、リモートコントローラから光信号を受信する。光受信ユニットは、その光信号を映像信号および音声信号に変換して、その映像信号および音声信号をモニタテレビに出力する。
【先行技術文献】
【特許文献】
【０００４】
【特許文献１】特開平５−１９１３４８号公報
【発明の概要】
【発明が解決しようとする課題】
【０００５】
特開平５−１９１３４８号公報によれば、ＶＴＲ一体型カメラが出力した音声信号はモニタテレビによって再生される。しかしながら特開平５−１９１３４８号公報には、スピーカの使用形態に関する特段の記載はない。
【０００６】
モニタテレビのスピーカだけで音声が再生される場合、スピーカの位置が固定されるという課題がある。また、より迫力ある音声あるいは高音質が要求される場合、モニタテレビのスピーカだけではその要求に十分に対応できない可能性がある。
【０００７】
本発明の目的は、音響システムの構成の自由度を高めることを可能にすることである。
【課題を解決するための手段】
【０００８】
本発明のある局面に係るスピーカ装置は、第１および第２のスピーカと、音声信号を受ける入力部と、音声信号を再生する場合の再生モードを、切換パターンに従って切換える切換部と、第１および第２のスピーカと入力部と切換部とを収納する筐体とを備える。切換パターンは、音声信号が第１のチャネル信号と第２のチャネル信号とを含む場合に、第１のスピーカが第１のチャネル信号を再生し、かつ第２のスピーカが第２のチャネル信号を再生するパターンと、第１および第２のスピーカがともに第１のチャネル信号を再生するパターンと、第１および第２のスピーカがともに第２のチャネル信号を再生するパターンとを含む。
【０００９】
好ましくは、スピーカ装置は、筐体に収納され、かつ音声信号を増幅するアンプをさらに備える。
【００１０】
好ましくは、入力部は、無線によって送信された音声信号を受信するように構成される。
【００１１】
好ましくは、入力部は、スピーカ装置に対する送信元としてスピーカ装置が予め認証した送信装置から送られた音声信号を受け付ける。
【００１２】
好ましくは、入力部は、音声信号を伝送するケーブルに接続するための入力端子を有する。
【００１３】
好ましくは、切換部は、リモートコントローラから送信された制御信号によって、切換パターンを変更する。
【００１４】
好ましくは、スピーカ装置は、手動操作によって切換パターンを設定するための操作部をさらに備える。
【００１５】
本発明の他の局面に係るスピーカシステムは、上記の少なくとも１つのスピーカ装置と、音声出力機器が出力した音声信号を無線でスピーカ装置に送信するための送信装置とを備える。
【００１６】
本発明のさらに他の局面に係る音響システムは、上記の少なくとも１つのスピーカ装置と、上記の少なくとも１つのスピーカ装置に音声信号を出力するための音声出力機器とを備える。
【００１７】
好ましくは、音響システムは、音声出力機器が出力した音声信号を無線でスピーカ装置に送信するための送信装置をさらに備える。
【発明の効果】
【００１８】
本発明によれば、音響システムの構成の自由度を高めることが可能になる。
【図面の簡単な説明】
【００１９】
【図１】本発明の実施の形態１に係る音響システムの概略構成を示した図である。
【図２】実施の形態１に係るスピーカ装置の筐体に設けられた操作部を説明するための図である。
【図３】図１に示したリモコンの構成を示したブロック図である。
【図４】図１に示したスピーカ装置３の構成を示したブロック図である。
【図５】一般的なアクティブスピーカの使用例を示した図である。
【図６】本発明の実施の形態１に係る音響システムの基本的な構成を示した図である。
【図７】本発明の実施の形態１に係る音響システムの他の構成例を示した図である。
【図８】本発明の実施の形態１に係る音響システムのさらに他の構成例を示した図である。
【図９】スピーカ装置の再生モードをリモコンにより設定するための構成を説明するための図である。
【図１０】本発明の実施の形態１に係る音響システムのさらに他の使用例を示した図である。
【図１１】本発明の実施の形態２に係る音響システムの概略構成を示した図である。
【図１２】実施の形態２に係るスピーカ装置の筐体に設けられた操作部を説明するための図である。
【図１３】図１１に示したスピーカ装置３Ｂの構成を示したブロック図である。
【図１４】本発明の実施の形態２に係る音響システムの構成例を示した図である。
【発明を実施するための形態】
【００２０】
以下、この発明の実施の形態について、図面を参照しながら詳細に説明する。なお、図中同一または相当部分には同一符号を付してその説明は繰返さない。
【００２１】
［実施の形態１］
図１は、本発明の実施の形態１に係る音響システムの概略構成を示した図である。図１を参照して、音響システム５０は、音声出力機器１と、リモートコントローラ２と、スピーカ装置３とを備える。この実施の形態では、リモートコントローラ（以下「リモコン」と呼ぶ）２およびスピーカ装置３によってスピーカシステムが構成される。
【００２２】
音声出力機器１は、音声信号を出力端子５から出力する。音声信号を出力するための端子を有していれば音声出力機器１の種類は特に限定されない。たとえばステレオシステム、テレビ、パソコン、携帯電話、携帯音楽プレーヤ、ＩＣレコーダなどが音声出力機器１の例として挙げられる。本発明の実施の形態では、出力端子５から出力される音声信号は、右チャネル信号および左チャネル信号を含むステレオ信号であるとする。
【００２３】
リモコン２は、キー操作部６と、入力端子７と、無線送信部８とを有する。キー操作部６は、ユーザがスピーカシステムに関する各種の制御を実行するための操作キーを含む。入力端子７はケーブル４によって音声出力機器１の出力端子５と接続され、音声出力機器１から出力された音声信号を受ける。無線送信部８は、リモコン２に入力された音声信号等を無線で送信する。
【００２４】
スピーカ装置３は、筐体１０と、無線受信部１１と、操作部１２と、スピーカ２７Ｒ，２７Ｌとを備える。無線受信部１１は筐体１０の内部に配置され、リモコン２からの無線信号を受信する。操作部１２は筐体１０の表面に設けられる。この実施の形態では、操作部１２は筐体１０の上面に設けられているが、筐体１０の側面に操作部１２が設けられていてもよい。
【００２５】
図２は、実施の形態２に係るスピーカ装置の筐体に設けられた操作部を説明するための図である。図２を参照して、操作部１２は、スライドスイッチ１３と、入力端子１４Ｌ，１４Ｒと、音量ボタン１５Ｕ，１５Ｄと、電源ボタン１６とを有する。
【００２６】
スライドスイッチ１３は、スピーカ装置３の音声再生モードを切換えるためのスイッチである。図２および図１を参照して、スライドスイッチ１３のツマミが「ステレオ」の位置にある場合、スピーカ装置３はステレオ再生を行なう。この場合、スピーカ２７Ｒは右チャネル音声信号を再生し、スピーカ２７Ｌは左チャネル音声信号を再生する。スライドスイッチ１３のツマミが「Ｌｃｈ」の位置にある場合、スピーカ２７Ｒ，２７Ｌの両方が左チャネル音声信号を再生する。スライドスイッチ１３のツマミが「Ｒｃｈ」の位置にある場合、スピーカ２７Ｒ，２７Ｌの両方が右チャネル音声信号を再生する。
【００２７】
入力端子１４Ｌ，１４Ｒは、ステレオ音声信号をケーブルから入力するための端子である。スピーカ装置３は音声信号を無線だけでなくケーブルでも受信できる。入力端子１４Ｌは、左チャネル音声信号を受けるための端子であり、入力端子１４Ｒは、右チャネル音声信号を受けるための端子である。
【００２８】
音量ボタン１５Ｕは、スピーカ２７Ｒ，２７Ｌの音量を上げるための操作ボタンであり、音量ボタン１５Ｄは、スピーカ２７Ｒ，２７Ｌの音量を下げるための操作ボタンである。電源ボタン１６は、スピーカ装置３の電源をオンオフするための操作ボタンである。
【００２９】
図３は、図１に示したリモコンの構成を示したブロック図である。図３を参照して、リモコン２は、キー操作部６と、入力端子７と、無線送信部８と、信号処理部２１と、音声信号入力部２２と、制御部２３と、音声信号処理回路２４と、送信処理部２５と、電源部２６とを備える。信号処理部２１は、キー操作部６の操作に応じた制御信号を生成する。音声信号入力部２２は、入力端子７を介して音声信号を受けるインターフェースである。
【００３０】
音声信号処理回路２４は、音声信号入力部２２に入力された音声信号に対して所定の処理（たとえばアナログ信号からデジタル信号への変換）を行なう。音声信号処理回路２４によって処理された音声信号は送信処理部２５に送られる。
【００３１】
制御部２３は、信号処理部２１からの制御信号に従って音声信号処理回路２４、送信処理部２５等を制御するとともに、スピーカ装置３を制御するための制御信号を生成する。送信処理部２５は、音声信号処理回路２４からの音声信号、制御部２３からの制御信号を無線で送信するための各種の処理（たとえば変調など）を実行する。無線送信部８は、送信処理部２５から送られた信号を無線で送信する。電源部２６は、リモコン２内の各ブロックに電源電圧を供給する。
【００３２】
図４は、図１に示したスピーカ装置３の構成を示したブロック図である。図４を参照して、スピーカ装置３はいわゆるアクティブスピーカであり、アンプを有している。具体的には、スピーカ装置３は、筐体１０と、無線受信部１１と、操作部１２と、電源部３１と、受信処理部３２と、制御部３３と、アンプ３４と、切換回路３５と、スピーカ２７Ｒ，２７Ｌとを備える。無線受信部１１、電源部３１と、受信処理部３２と、制御部３３と、アンプ３４と、切換回路３５とは筐体１０内部に収容される。スピーカ２７Ｒ，２７Ｌは筐体１０に固定され、あるいは筐体１０に内蔵される。
【００３３】
無線受信部１１は、リモコン２から無線で送られた信号を受信する。受信処理部３２は無線受信部１１が受信した信号に対して所定の処理を実行する。無線受信部１１が受信した信号が音声信号であれば、受信処理部３２は、その音声信号をアンプ３４に出力する。アンプ３４は、音声信号を増幅する。なお操作部１２の入力端子に音声信号が入力された場合には、アンプ３４は、その音声信号を増幅する。すなわち、このスピーカ装置３０は、入力部として無線受信部１１と入力端子１４Ｒ，１４Ｌとを有する。
【００３４】
無線受信部１１が受信した信号が制御信号であれば、受信処理部３２はその制御信号を制御部３３に出力する。制御部３３は、信号処理部２１からの制御信号あるいは操作部１２からの制御信号に従って電源部３１のオンオフを制御したり、スピーカ２７Ｒ，２７Ｌの音量を制御するためにアンプ３４のゲインを制御したりする。操作部１２のスイッチ、ボタン等の操作によって操作部１２から制御部３３に制御信号が入力される。
【００３５】
操作部１２のスライドスイッチ１３は、そのツマミの位置を示す信号（たとえばスイッチのツマミの位置に応じて電位が変わる信号）を制御部３３に出力する。制御部３３は、その信号に基づいて切換回路３５を制御する。切換回路３５は、制御部３３によって制御されることで、スピーカ２７Ｒ，２７Ｌに対する音声信号の出力方式を切換える。すなわちスピーカ２７Ｒ，２７Ｌによる音声再生モードを切換えるためのパターンがスライドスイッチ１３によって設定される。切換回路３５は、その切換パターンに従ってスピーカ２７Ｒ，２７Ｌに対する音声信号の出力方式を切換える。
【００３６】
切換パターンと、切換回路３５の出力方式との対応関係は以下のとおりである。スライドスイッチ１３のツマミが「ステレオ」の位置にある場合、切換回路３５はスピーカ２７Ｒ，２７Ｌに右チャネル音声信号および左チャネル音声信号をそれぞれ出力する。スライドスイッチ１３のツマミが「Ｌｃｈ」の位置にある場合、切換回路３５はスピーカ２７Ｒ，２７Ｌの両方に左チャネル音声信号を送る。スライドスイッチ１３のツマミが「Ｒｃｈ」の位置にある場合、切換回路３５はスピーカ２７Ｒ，２７Ｌの両方に右チャネル音声信号を送る。
【００３７】
以上説明したように、実施の形態１に係るスピーカ装置３は、スピーカ２７Ｒ，２７Ｌと、音声信号を受ける入力部（無線受信部１１および入力端子１４Ｒ，１４Ｌ）と、切換回路３５とを備えている。切換回路３５は、スピーカ２７Ｒ，２７Ｌが音声信号（右チャネル音声信号および左チャネル音声信号を含むステレオ信号）を再生する場合の再生モードを切換パターンに従って切換える。
【００３８】
実施の形態１によれば、スピーカ装置側の設定によって音声信号の再生パターンを切換えることができる。これによって、音響システムの構成の自由度を高めることが可能になる。このような特徴の理解のため、一般的なアクティブスピーカについてまず説明し、次に実施の形態１に係るスピーカ装置を用いた音響システムの構成例を説明する。
【００３９】
図５は、一般的なアクティブスピーカの使用例を示した図である。図５を参照して、スピーカ装置３Ａは、ケーブル４によって音声出力機器１に接続される。音声出力機器１から出力された音声信号はケーブル４を通じてスピーカ装置３Ａに入力される。スピーカ装置３Ａはアンプを内蔵しており、スピーカ装置３Ａに入力された音声信号を増幅する。しかしながら、２つのスピーカは、それぞれ、右チャネル音声信号および左チャネル音声信号を再生するよう固定されている。
【００４０】
図６は、本発明の実施の形態１に係る音響システムの基本的な構成を示した図である。図６を参照して、１台のリモコン２に対して１台のスピーカ装置３が設置される。音声出力機器１から出力された音声信号はケーブル４を通じてリモコン２に入力される。リモコン２は、その音声信号を無線でスピーカ装置３に送信する。スピーカ装置３は、リモコン２から無線で送られた音声信号を再生する。
【００４１】
さらにリモコン２は、ユーザの操作によって、スピーカ装置３を制御するための信号をスピーカ装置３に送信する。たとえばスピーカ装置の音量、スピーカ装置の電源のオン／オフなどがリモコン２から送られた制御信号によって制御される。
【００４２】
リモコン２から音声信号を伝送するための方法は、無線を用いた方法であれば特に限定されない。たとえばリモコン２は、電波（ＦＭ波を含む）、赤外線等によって音声信号を伝送してもよい。また、リモコン２からスピーカ装置に信号を伝送するための通信規格も特に限定されない。通信規格として、たとえばＢｌｕｅｔｏｏｔｈ（登録商標）を実施の形態１に適用できる。また独自の通信規格を適用してもよい。
【００４３】
Ｂｌｕｅｔｏｏｔｈ（登録商標）のように、機器の認証が定義された通信規格を本発明の実施の形態１に係るスピーカシステムに用いることが好ましい。このような通信規格を用いた場合、リモコン２およびスピーカ装置３は、相手を認識するためのペアリング（確認作業）を行なう。これにより、スピーカ装置３は、そのスピーカ装置３が予め送信元と認証したリモコンから送られた音声信号のみ再生できる。したがって、認証済みのリモコンおよび認証されていないリモコンの両方から送られた音声信号がスピーカ装置３で混信することを回避できる。また、認証されていないリモコンからの制御信号によってスピーカ装置３が誤作動することも防ぐことができる。
【００４４】
図７は、本発明の実施の形態１に係る音響システムの他の構成例を示した図である。図７を参照して、この構成例では、１台のリモコン２に対してスピーカ装置３が複数台設置される。リモコン２はステレオ信号を音声信号として送信する。各スピーカ装置３は、リモコン２から送信されたステレオ信号を受信する。
【００４５】
各スピーカ装置３に設けられたスライドスイッチ１３を操作することによって、複数のスピーカ装置３を、右チャネル（Ｒｃｈ）専用スピーカと、左チャネル（Ｌｃｈ）専用スピーカとに容易にグループ化することができる。さらに、各チャネルの再生に用いられるスピーカ装置の台数は特に制限されない。
【００４６】
従って、右チャネル専用スピーカと左チャネル専用スピーカとを同数にしてもよい。また図７に示すように、左右のチャネルでスピーカ装置の数を異ならせてもよい。音楽を聴く位置によっては、右チャネルあるいは左チャネルの音声が聞こえにくい場合がある。音声が聞こえにくいほうのチャネルのスピーカ装置を増設することで、左右両チャネルで音量のバランスをとることができるので音響効果を高めることができる。
【００４７】
図８は、本発明の実施の形態１に係る音響システムのさらに他の構成例を示した図である。図８を参照して、１台のリモコン２に対してスピーカ装置３が複数台設置される。この場合、１台のスピーカ装置３がステレオ再生用スピーカに割り当てられる。この点で図８に示した構成は、図７に示した構成と異なる。ステレオ再生用スピーカは、たとえば右チャネル専用スピーカと左チャネル専用スピーカとの間に配置される。図８に示した構成も、図７の構成と同様に音響効果を高めることができる。
【００４８】
複数のスピーカ装置が様々な場所に配置されている場合、各スピーカ装置の操作部に設けられたスライドスイッチを操作することは、ユーザにとって負担となる可能性がある。実施の形態１では、リモコン２から各スピーカ装置の再生モードを設定することも可能である。ただしこの場合、リモコン２側からは、切換パターンを設定するための制御信号だけでなく、切換パターンの変更対象となるスピーカ装置を指定するための制御信号も送信される。また、リモコン２とスピーカ装置３との通信には、上記のような機器間の認証が定義された規格が用いられる。
【００４９】
図９は、スピーカ装置の再生モードをリモコンにより設定するための構成を説明するための図である。図９を参照して、１対のスピーカ装置３がユーザＡの前方、かつ左右両側に配置される。ユーザＡから見て右側のスピーカ装置３は、右チャネル音声のみ再生するように設定されているが、ユーザＡから見て左側のスピーカ装置３は、ステレオ再生モードに設定されている。このような場合、ユーザＡがリモコン２を操作することで、左側のスピーカ装置３の制御部は、左チャネル音声信号のみ再生する再生モードとなるように切換回路３５を制御する。これにより、左側のスピーカ装置３は左チャネル専用スピーカに変更されるのでユーザＡが左側のスピーカ装置３の位置まで移動する手間を省くことができる。一方、右側のスピーカ装置もリモコン２からの信号を受信するものの、右側のスピーカ装置３は、リモコン２によって指定されたスピーカと異なる。したがって右側のスピーカ装置の制御部は再生モードを変更しない。
【００５０】
さらに、実施の形態１に係るスピーカ装置３はアンプおよび音声信号の入力端子を有しているので、一般的なアクティブスピーカとして使用することができる。この場合の構成は、図５において、スピーカ装置３Ａをスピーカ装置３に置き換えた構成となる。
【００５１】
さらに、図１０に示すように、リモコン２から無線で音声信号を受信するスピーカ装置３と、ケーブルを通じて音声信号を受信するスピーカ装置３とを組み合わせてもよい。音声出力機器１の出力端子、リモコン２の入力端子およびスピーカ装置３の入力端子には、音声信号を２分配するためのケーブル４Ａが接続される。
【００５２】
このように実施の形態１によれば、スピーカ装置の設置台数、各スピーカ装置の再生モードは、ユーザが任意に設定可能である。また、各スピーカ装置は、リモコン２から無線（ワイヤレス）で音声信号を受信するので、スピーカ装置の配置も特に限定されない。たとえば部屋の四隅に、実施の形態１に係るスピーカ装置を配置できる。したがって、実施の形態１によれば、ユーザが要求する環境、音量、音質等に応じて、音響システムを自由に構築できる。
【００５３】
なお、上記形態では、リモートコントローラが音声信号および制御信号を無線で送信するが、音声信号の送信専用の送信装置と、制御信号の送信専用のリモコンとが別々で設けられてもよい。
【００５４】
［実施の形態２］
実施の形態１に係るスピーカ装置はアンプを内蔵したスピーカ（アクティブスピーカ）であるが、アンプを内蔵していないスピーカ（パッシブスピーカ）にも本発明を適用することができる。
【００５５】
図１１は、本発明の実施の形態２に係る音響システムの概略構成を示した図である。図１１を参照して、音響システム６０は、プレーヤ４１と、アンプ４２と、ケーブル４Ｂと、スピーカ装置３Ｂとを備える。プレーヤ４１は、記録媒体（たとえばＣＤであるがこれに限定されない）から音声信号を読み出す。アンプ４２は、プレーヤ４１によって読み出された音声信号を増幅する。アンプ４２が出力する音声信号はケーブル４Ｂによってスピーカ装置３Ｂに伝送される。スピーカ装置３Ｂは、ケーブル４Ｂによって送られた音声信号を音声として出力する。
【００５６】
プレーヤ４１およびアンプ４２は、音声信号を出力する機器に相当する。図１１では、プレーヤ４１およびアンプ４２とは別体として示されているが、これらが一体化されていてもよい。また、スピーカ装置３Ｂに接続される音声出力機器は特に限定されず、たとえばプレーヤ４１に加えてあるいはプレーヤ４１に代えて他の機器（たとえばチューナ等）が設けられていてもよい。
【００５７】
スピーカ装置３Ｂは、筐体１０と、操作部１２と、スピーカ２７Ｒ，２７Ｌとを備える。図１２は、実施の形態２に係るスピーカ装置の筐体に設けられた操作部を説明するための図である。図１２を参照して、操作部１２は、スライドスイッチ１３と、入力端子１４Ｌ，１４Ｒとを有する。スライドスイッチ１３はスピーカ装置３Ｂの音声再生モードを切換えるためのスイッチである。スピーカ装置３Ｂの音声再生モードは、実施の形態１に係るスピーカ装置３の音声再生モードと同様の３つのモードを有する。したがってスピーカ装置３Ｂの音声再生モードについては以後の詳細な説明を繰り返さない。
【００５８】
図１３は、図１１に示したスピーカ装置３Ｂの構成を示したブロック図である。図１３を参照して、スピーカ装置３Ｂは、筐体１０と、操作部１２と、切換回路３５と、スピーカ２７Ｒ，２７Ｌとを備える。各ブロックの機能は、実施の形態１に係るスピーカ装置３の対応するブロックの機能と同様である。ただしこのスピーカ装置３Ｂでは、入力端子１４Ｒ，１４Ｌに入力された音声信号が切換回路３５に入力される。さらに、切換回路３５は、操作部１２のスライドスイッチ１３が手動操作されることによって、スピーカ２７Ｒ，２７Ｌへの音声信号の出力方式を切換える。すなわちスライドスイッチ１３は手動操作によって切換パターンを設定する。
【００５９】
図１４は、本発明の実施の形態２に係る音響システムの構成例を示した図である。図１４を参照して、アンプ４２の出力端子には、音声信号を２分配するためのケーブル４Ｃが接続される。２分配された音声信号は、ケーブル４Ｃを通じて２つのスピーカ装置３Ｂにそれぞれ送られる。２つのスピーカ装置３Ｂをそれぞれ、左チャネル専用スピーカ、右チャネル専用スピーカとして使用することができる。また、２つのスピーカ装置３Ｂをともに、ステレオ再生用スピーカとして使用してもよい。また、スピーカ装置３Ｂの設置台数、配置は特に限定されるものではない。
【００６０】
実施の形態１と同様に、実施の形態２によれば、スピーカ装置側で音声信号の再生パターンを切換えることができるので、音響システムの構成の自由度を高めることができる。
【００６１】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【符号の説明】
【００６２】
１  音声出力機器、２  リモートコントローラ（リモコン）、３，３Ａ，３Ｂ  スピーカ装置、４，４Ａ，４Ｂ，４Ｃ  ケーブル、５  出力端子、６  キー操作部、７，１４Ｌ，１４Ｒ  入力端子、８  無線送信部、１０  筐体、１１  無線受信部、１２  操作部、１３  スライドスイッチ、１５Ｄ，１５Ｕ  音量ボタン、１６  電源ボタン、２１  信号処理部、２２  音声信号入力部、２３，３３  制御部、２４  音声信号処理回路、２５  送信処理部、２６，３１  電源部、２７Ｒ，２７Ｌ  スピーカ、３２  受信処理部、３４，４２  アンプ、３５  切換回路、４１  プレーヤ、５０，６０  音響システム、Ａ  ユーザ。
【図１】
2011176581.tif 000003
【図２】
2011176581.tif 000004
【図３】
2011176581.tif 000005
【図４】
2011176581.tif 000006
【図５】
2011176581.tif 000007
【図６】
2011176581.tif 000008
【図７】
2011176581.tif 000009
【図８】
2011176581.tif 000010
【図９】
2011176581.tif 000011
【図１０】
2011176581.tif 000012
【図１１】
2011176581.tif 000013
【図１２】
2011176581.tif 000014
【図１３】
2011176581.tif 000015
【図１４】
2011176581.tif 000016